(57)【要約】      （修正有）【課題】収まり良く効率的に配置できる連結箱型小物収容具を提供する。【解決手段】第１，２包装箱１，２が連結された連結箱型小物収容具を対象とする。本収容具は、前後方向に延びる連結片５を備え、連結片５の前部一側縁に第１包装箱１の側縁部が設けられるとともに、連結片５の後部他側縁に第２包装箱２の側縁部が設けられる。連結片５の長さ方向に沿った軸回りに、第１，２包装箱１，２が回動操作自在に構成される。前記回動操作によって、両包装箱１，２が前後に並んで配置される閉塞縦並び形態と、第１包装箱１が連結片５の前部一側方に位置し、第２包装箱２が連結片５の後部他側方に位置するように両包装箱１，２が斜めに並んで配置される拡開形態との間で形態変更自在に構成される。【選択図】図３
0003150258.tif 000002
【実用新案登録請求の範囲】
【請求項１】
全周が覆われた独立室をそれぞれ有する第１，２包装箱が連結された連結箱型小物収容具であって、
前後方向に延びる連結片を備え、
前記連結片の前部一側縁に前記第１包装箱の側縁部が設けられるとともに、前記連結片の後部他側縁に前記第２包装箱の側縁部が設けられ、
前記連結片の長さ方向に沿った軸回りに、前記第１，２包装箱が回動操作自在に構成され、
前記回動操作によって、前記第１包装箱の後面に前記第２包装箱の前面が対向するように両包装箱が前後に並んで配置される閉塞縦並び形態と、前記第１包装箱が前記連結片の前部一側方に位置するとともに、前記第２包装箱が前記連結片の後部他側方に位置するように両包装箱が斜めに並んで配置される拡開形態との間で形態変更自在に構成されたことを特徴とする連結箱型小物収容具。
【請求項２】
前記閉塞縦並び形態において係脱自在に係合されて、その係合によって閉塞縦並び形態に維持するための係合手段を備える請求項１に記載の連結箱型小物収容具。
【請求項３】
前記閉塞縦並び形態において、前記第１包装箱の後面と、前記第２包装箱の前面とが接触するように配置される請求項１または２に記載の連結箱型小物収容具。
【請求項４】
前記閉塞縦並び形態から前記拡開形態に移行する際に、前記第１包装箱の後面と、前記第２包装箱の前面とが互いに係合する傾斜面に形成される請求項３に記載の連結箱型小物収容具。
【請求項５】
前記連結片は、帯板形状に形成され、
前記連結片における前半部一側縁に、前記第１包装箱の背面が連設されるとともに、前記連結片における後半部他側縁に、前記第２包装箱の背面が連設され、
前記第１包装箱は、前記連結片の一側縁に沿った軸回りに回動操作自在に構成されるとともに、前記第２包装箱は、前記連結片の他側縁に沿った軸回りに回動操作自在に構成される請求項１〜４のいずれか１項に記載の連結箱型小物収容具。
【請求項６】
前記第１包装箱の後端に後方に延び、かつ前記閉塞縦並び形態において、前記第２包装箱の正面を覆う表カバー片が設けられるとともに、前記第２包装箱の前端に前方に延び、かつ前記閉塞縦並び形態において、前記第１包装箱の正面を覆う裏カバー片が設けられる請求項５に記載の連結箱型小物収容具。
【請求項７】
前記連結片の一側縁に、表表紙部が連設されて、その表表紙部の前半部が前記第１包装箱の背面を構成する背面構成片として構成されるとともに、後半部が前記表カバー片として構成され、
前記連結片の他側縁に、裏表紙部が連設されて、その裏表紙部の後半部が前記第２包装箱の背面を構成する背面構成片として構成されるとともに、前半部が裏カバー片として構成される請求項６に記載の連結箱型小物収容具。
【考案の詳細な説明】
【技術分野】
【０００１】
本考案は、小物等を収容できる包装箱が複数連結された連結箱型小物収容具に関する。
【背景技術】
【０００２】
ハンカチ等を贈答用として包装するような場合、紙製の包装箱に収容するのが一般的であるが、近年において、ペアとなっている２枚のハンカチ等の小物を贈答用に包装する際の小物収容具として、下記特許文献１に示すように、一対の連結箱が連結された連結箱型小物収容具が周知である。
【０００３】
この小物収容具は、一対の包装箱と、一方の包装箱の一側縁および他方の包装箱の他側縁間を連結する連結片とを備え、連結片を中心にして、一対の包装箱を左右に並べて配置する拡開形態と、両包装箱の背面同士を接触させるように一対の包装箱を厚み方向に積み重ねる折り畳み形態との間で形態変更自在に構成されている。
【０００４】
そして、贈答のための配送時や、携行時、あるいは陳列時には、折り畳み形態に保持されるとともに、小物を取り出す際には、折り畳み形態から開いて拡開形態とし、各包装箱を開放して、小物を取り出すようにしている。
【０００５】
また特許文献１以外において、複数の紙箱が連結されたものとして、下記特許文献２〜５に示すものが従来より周知である。
【先行技術文献】
【特許文献】
【０００６】
【特許文献１】実用新案登録第３１２０４４４号
【特許文献２】実開昭５８−６５２１９号公報
【特許文献３】実開昭５９−１４１０１６号公報
【特許文献４】実開昭６２−１９１６１８号公報
【特許文献５】実開昭６３−１５６９１８号公報
【考案の概要】
【考案が解決しようとする課題】
【０００７】
ところで、上記特許文献１に示す従来の連結箱型小物収容具においては、配送時、携行時、陳列時等に、一対の包装箱を折り畳み形態に保持するようにしているが、この折り畳み形態では、一対の包装箱が積み重ねられるため、厚みが厚く、嵩高になってしまい、配送時等に、効率良く配置できなかったり、携行時に収まりが悪くなってしまう、という課題があった。
【０００８】
この考案は、上記の課題に鑑みてなされたものであり、収まり良く効率的に配置することができる連結箱型小物収容具を提供することを目的とする。
【課題を解決するための手段】
【０００９】
上記の目的を達成するため、本考案は、以下の構成を備えている。
【００１０】
［１］全周が覆われた独立室をそれぞれ有する第１，２包装箱が連結された連結箱型小物収容具であって、
前後方向に延びる連結片を備え、
前記連結片の前部一側縁に前記第１包装箱の側縁部が設けられるとともに、前記連結片の後部他側縁に前記第２包装箱の側縁部が設けられ、
前記連結片の長さ方向に沿った軸回りに、前記第１，２包装箱が回動操作自在に構成され、
前記回動操作によって、前記第１包装箱の後面に前記第２包装箱の前面が対向するように両包装箱が前後に並んで配置される閉塞縦並び形態と、前記第１包装箱が前記連結片の前部一側方に位置するとともに、前記第２包装箱が前記連結片の後部他側方に位置するように両包装箱が斜めに並んで配置される拡開形態との間で形態変更自在に構成されたことを特徴とする連結箱型小物収容具。
【００１１】
［２］前記閉塞縦並び形態において係脱自在に係合されて、その係合によって閉塞縦並び形態に維持するための係合手段を備える前項１に記載の連結箱型小物収容具。
【００１２】
［３］前記閉塞縦並び形態において、前記第１包装箱の後面と、前記第２包装箱の前面とが接触するように配置される前項１または２に記載の連結箱型小物収容具。
【００１３】
［４］前記閉塞縦並び形態から前記拡開形態に移行する際に、前記第１包装箱の後面と、前記第２包装箱の前面とが互いに係合する傾斜面に形成される前項３に記載の連結箱型小物収容具。
【００１４】
［５］前記連結片は、帯板形状に形成され、
前記連結片における前半部一側縁に、前記第１包装箱の背面が連設されるとともに、前記連結片における後半部他側縁に、前記第２包装箱の背面が連設され、
前記第１包装箱は、前記連結片の一側縁に沿った軸回りに回動操作自在に構成されるとともに、前記第２包装箱は、前記連結片の他側縁に沿った軸回りに回動操作自在に構成される前項１〜４のいずれか１項に記載の連結箱型小物収容具。
【００１５】
［６］前記第１包装箱の後端に後方に延び、かつ前記閉塞縦並び形態において、前記第２包装箱の正面を覆う表カバー片が設けられるとともに、前記第２包装箱の前端に前方に延び、かつ前記閉塞縦並び形態において、前記第１包装箱の正面を覆う裏カバー片が設けられる前項５に記載の連結箱型小物収容具。
【００１６】
［７］前記連結片の一側縁に、表表紙部が連設されて、その表表紙部の前半部が前記第１包装箱の背面を構成する背面構成片として構成されるとともに、後半部が前記表カバー片として構成され、
前記連結片の他側縁に、裏表紙部が連設されて、その裏表紙部の後半部が前記第２包装箱の背面を構成する背面構成片として構成されるとともに、前半部が裏カバー片として構成される前項６に記載の連結箱型小物収容具。
【考案の効果】
【００１７】
考案［１］の連結箱型小物収容具によれば、閉塞縦並び形態に設定することにより、厚みを薄くすることができ、収まり良く効率的に配置することができる。
【００１８】
考案［２］の連結箱型小物収容具によれば、閉塞縦並び形態に維持できて、第１，２包装箱が不用意にばらけるのを防止できる。
【００１９】
考案［３］の連結箱型小物収容具によれば、閉塞縦並び形態において、第１，２包装箱を整列させることができ、よりコンパクトな状態に設定することができる。
【００２０】
考案［４］の連結箱型小物収容具によれば、簡単な構成で、閉塞縦並び形態に維持できて、第１，２包装箱が不用意にばらけるのを防止できる。
【００２１】
考案［５］〜［７］の連結箱型小物収容具によれば、上記の効果をより確実に得ることができる。
【図面の簡単な説明】
【００２２】
【図１】図１はこの考案の実施形態である連結箱型小物収容具を閉塞縦並び形態で示す斜視図である。
【図２】図２は実施形態の連結箱型小物収容具を少量開いた状態で示す斜視図である。
【図３】図３は実施形態の連結箱型小物収容具を半開きの状態で示す斜視図である。
【図４】図４は実施形態の連結箱型小物収容具を拡開形態で示す斜視図である。
【図５】図５は実施形態の連結箱型小物収容具を開封状態で示す斜視図である。
【図６】図６は実施形態の連結箱型小物収容具を展開状態で示す斜視図である。
【図７】図７は実施形態の連結箱型小物収容具の縦断面図である。
【図８】図８は図７の一点鎖線で囲まれる部分を拡大して示す断面図である。
【図９】図９はこの考案の変形例である連結箱型小物収容具を示す斜視図である。
【考案を実施するための形態】
【００２３】
図１〜６はこの考案の実施形態である連結箱型小物収容具を示す図である。これらの図に示すように、本実施形態の小物収容具は、型抜き加工によって形成された１枚の紙製ブランク板（図６参照）を組み立てることによって製作されており、互いに独立した第１，２包装箱（１）（２）と、両包装箱（１）（２）を連結する連結片（５）とを基本的な構成要素として備えている。
【００２４】
なお本実施形態の小物収容具では、図６の展開状態における上下方向を「前後方向」とし、左右方向を「左右方向」として説明する。
【００２５】
本実施形態の小物収容具において、連結片（５）は、前後方向に延びる帯板形状に形成されている。この連結片（５）の左側縁（一側縁）には、表表紙部（１０）が連設されるとともに、右側縁には、裏表紙部（２０）が連設されている。
【００２６】
表表紙部（１０）の前半部領域は、第１包装箱（１）の背面を構成する背面構成片（１２）として構成されるとともに、表表紙部（１０）の後半部領域は、後述するように第２包装箱（２）の正面を覆うための表カバー片（４１）として構成されている。換言すれば、連結片（５）の前半部左側縁には、背面構成片（１２）が連設されるとともに、後半部左側縁には、表カバー片（４１）が連設されている。
【００２７】
裏表紙部（２０）の後半部領域は、第２包装箱（１）の背面を構成する背面構成片（２２）として構成されるとともに、裏表紙部（２０）の前半部領域は、後述するように第１包装箱（２）の正面を覆うための裏カバー片（４２）として構成されている。換言すれば、連結片（５）の後半部右側縁には、背面構成片（２２）が連設されるとともに、前半部右側縁には、裏カバー片（４２）が連設されている。
【００２８】
図６の展開状態において、第１包装箱（１）における背面構成片（１２）の側縁には、第１包装箱（１）の外側面を構成する外側面構成片（１４）と、第１包装箱（１）の正面を構成する正面構成片（１１）と、第１包装箱（１）の内側面を構成する内側面構成片（１３）とが順次連設されている。
【００２９】
さらに背面構成片（１２）の前端縁には、第１包装箱（１）の前面を構成する前面構成片（１５）が連設されるとともに、正面構成片（１１）の後端縁には、第１包装箱（１）の後面を構成する後面構成片（１６）が連設されている。
【００３０】
また内側面構成片（１３）の前後両端縁、外側面構成片（１４）の前後両端縁、前面構成片（１５）の前端縁、および後面構成片（１６）の後端縁には、それぞれ差込フラップ（１３１）（１４１）（１５１）（１６１）が連設されている。さらに内側面構成片（１３）の側縁には、のり付けフラップ（１３２）が連設されている。
【００３１】
一方、第２包装箱（２）側も上記第１包装箱（１）側と実質的に同様に構成されている。すなわち背面構成片（２２）の側縁には、第２包装箱（２）の外側面を構成する外側面構成片（２４）と、第２包装箱（２）の正面を構成する正面構成片（２１）と、第２包装箱（２）の内側面を構成する内側面構成片（２３）とが順次連設されている。
【００３２】
さらに背面構成片（２２）の後端縁には、第２包装箱（２）の後面を構成する後面構成片（２６）が連設されるとともに、正面構成片（２１）の前端縁には、第２包装箱（２）の前面を構成する前面構成片（２５）が連設されている。
【００３３】
また内側面構成片（２３）の前後両端縁、外側面構成片（２４）の前後両端縁、前面構成片（２５）の前端縁、および後面構成片（２６）の後端縁には、それぞれ差込フラップ（２３１）（２４１）（２５１）（２６１）が連設されている。さらに内側面構成片（２３）の側縁には、のり付けフラップ（２３２）が連設されている。
【００３４】
そして、背面構成片（１２）（２２）に対し、内側面構成片（１３）（２３）、正面構成片（１１）（２１）、外側面構成片（１４）（２４）およびのり付けフラップ（１３２）（２３２）を、図６の破線に示す折り曲げ線に沿って谷折りで９０°ずつ折り曲げて、のり付けフラップ（１３２）（２３２）を背面構成片（１２）（２２）にのり付け固定することにより、図５に示すように、第１，２包装箱（１）（２）が、その前後が開放された角筒形状に組み立てられる。
【００３５】
さらに角筒形状に組み立てられた第１，２包装箱（１）（２）において、前面構成片（１５）（２５）および後面構成片（１６）（２６）を、図６の破線に示す折り曲げ線に沿って谷折りで９０°ずつ折り曲げて、各差込フラップ（１３１）（１４１）（１５１）（１６１）（２３１）（２４１）（２５１）（２６１）を折り曲げ線（破線）に沿って谷折りで９０°ずつ折り曲げて、第１，２包装箱（１）（２）内に差し込むことにより、図４に示すように、前後両端が前面構成片（１５）（２５）および後面構成片（１６）（２６）によって閉塞されて、周囲６面を全て閉塞面とする第１，２包装箱（１）（２）が組み立てられる。
【００３６】
この組立状態においては、連結片（５）の前半部一側縁に、第１包装箱（１）の側縁における背面構成片（１２）が連設されるとともに、連結片（５）の後半部他側縁に、第２包装箱（２）の側縁における背面構成片（２２）が連設されている。
【００３７】
またこうして組み立てられた第１，２包装箱（１）（２）は、互いに独立し、かつ各箱内には、全周（周囲４面全て）が覆われた独立室がそれぞれ形成されている。さらに各包装箱（１）（２）は、前後寸法および左右幅寸法に比べて、厚み寸法が小さい薄型扁平な直方体形状を有している。
【００３８】
また本実施形態において、第１，２包装箱（１）（２）は、互いに同一の形状で同一の大きさに形成されている。
【００３９】
なお前後両面構成片（１５）（２５）（１６）（２６）によって、第１，２包装箱（１）（２）の前後両端開口部を閉塞した際には、その閉塞状態に保持されているが、言うまでもなく、前後両面構成片（１５）（２５）（１６）（２６）を、それに指を掛けて展開すれば、図５に示すように、第１，２包装箱（１）（２）の前後両端開口部を開放できるようになっている。
【００４０】
本実施形態の連結箱型小物収容具においては、連結片（５）の両側縁に沿った軸回りに、表表紙部（１０）および裏表紙部（２０）が回動操作自在に構成されている。そしてその回動操作によって、表表紙部（１０）が裏表紙部（２０）に対し開閉操作自在に構成されて、図４に示すように表表紙部（１０）を裏表紙部（２０）に対し開いた拡開形態と、図１に示すように表表紙部（１０）を裏表紙部（２０）に対し閉じた閉塞縦並び形態との間で形態変更自在に構成されている。
【００４１】
拡開形態においては図４に示すように、表表紙部（１０）の前半部に第１包装箱（１）が配置されるとともに、裏表紙部（２０）の後半部に第２包装箱（２）が配置されて、両包装箱（１）（２）が連結片（５）を挟んで斜めに配列されている。さらにこの拡開形態においては第１，２包装箱（１）（２）の各正面が、共に同一の方向に向いて配置されている。
【００４２】
また閉塞縦並び形態においては図１に示すように、第１包装箱（１）の後面構成片（１６）と、第２包装箱（２）の前面構成片（２５）とが接合した状態で、両包装箱（１）（２）が前後方向に並んで配列されている。さらにこの閉塞形態においては第１包装箱（１）の正面と第２包装箱（２）の正面とが各正面が相反する方向に向いて配置されている。さらにこの閉塞縦並び形態においては、表裏カバー片（４１）（４２）が、第１，２包装箱（１）（２）の各正面の主要領域を覆うように配置される。
【００４３】
ここで本実施形態の連結箱型小物収容具においては、閉塞縦並び形態でロックするための係合手段が設けられている。すなわち図７，８に示すように、閉塞縦並び形態においては、第１包装箱（１）における後面構成片（１６）の外面によって構成される後面（１６ａ）と、第２包装箱（２）における前面構成片（２５）の外面によって構成される前面（２５ａ）とが接合されるが、互いの接合面（１６ａ）（２５ａ）が、包装箱（１）（２）の表裏面と直交する横断面に対し、傾斜して配置されている。詳細に説明すると、第１包装箱（１）の後面（１６ａ）は、その背面構成片（１２）側が第２包装箱（２）に向けて突出し、かつ正面構成片（１１）側が第２包装箱（２）に向けて凹むような傾斜面によって構成されるとともに、第２包装箱（２）の前面（２５ａ）は、その正面構成片（２１）側が第１包装箱（１）に向けて突出し、かつ背面構成片（２２）側が第１包装箱（１）に向けて凹むような傾斜面によって構成されている。これにより、互いの接合面（１６ａ）（２５ａ）が接触した閉塞縦並び形態においては、第１包装箱（１）が第２包装箱（２）に対し離間する方向へ移動する際（開放する際）には、接合面（１６ａ）（２５ａ）同士が互いに係合するため、不用意な開放動作が防止され、閉塞縦並び形態に維持される。なお形態において、第１包装箱（１）を第２包装箱（２）に対し軽い力で引き離すように開けば簡単に、両包装箱（１）（２）間の係合を解除できて無理なく開放することができる。
【００４４】
本実施形態においては、第１，２包装箱（１）（２）の互いに係合状態に接合可能な後面（１６ａ）（２５ａ）によって、係合手段が構成されている。
【００４５】
以上のように構成された本実施形態の連結箱型小物収容具において、贈答用として手渡ししたり、配送したりする場合や、あるいは携行したり、陳列するような場合には、第１，２包装箱（１）（２）内に、小物を収容した状態で閉塞縦並び形態とする。この形態においては、第１，２包装箱（１）（２）が前後方向（縦方向）に並んで配置されるため、厚み寸法が、各包装箱（１）（２）の厚み寸法とほぼ等しくなり、２つの包装箱を厚み方向に積み重ねる場合と比較して、半分の厚みになる。このように閉塞縦並び形態での厚みが薄いため、収まり良く効率的に配置でき、配送、携行、陳列等を不具合なくスムーズに行うことができる。
【００４６】
しかも本実施形態においては、上記したように、第１，２包装箱（１）（２）の接合面（１６ａ）（２５ａ）を傾斜面に形成して、接合状態で軽くロックされるように構成しているため、配送や携行時等に、不用意に両包装箱（１）（２）がばらけて拡開されるのを有効に防止でき、配送や携行をより一層スムーズに行うことができる。
【００４７】
さらに本実施形態においては、第１，２包装箱（１）（２）が互いに接触して係合されているため、包装箱（１）（２）ががたつくような不具合も確実に防止することができる。
【００４８】
一方、閉塞縦並び形態の連結箱型小物収容具から小物を取り出す場合には、第１包装箱（１）を第２包装箱（２）に対し引き離すように開けば、両包装箱（１）（２）を拡開できる。従ってその拡開形態において上記したように、両包装箱（１）（２）の前後構成片（１５）（１６）（２５）（２６）を開放すれば、両包装箱（１）（２）内の小物を取り出すことができる。
【００４９】
さらに拡開形態においては、両包装箱（１）（２）が斜めに大きく離れて配置されるとともに、各包装箱（１）（２）の前後左右方向（周囲４方向）が開放されるため、各包装箱（１）（２）を開封する際に、障害となる部位が存在しないので、各包装箱（１）（２）の開封操作を容易に行うことできる。
【００５０】
また言うまでもなく、本実施形態の連結箱型小物収容具では、閉塞縦並び形態において、リボン、包装紙、テープ、巻回バンド、外嵌スリーブ等でラッピングして装飾するようにしても良い。
【００５１】
なお上記実施形態においては、包装箱（１）（２）が２つ設けられる連結箱型小物収容具を例に挙げて説明したが、それだけに限られず、本発明の連結箱型小物収容具において、包装箱の形成数は特に限定されるものではなく、包装箱を３つ以上形成するようにしても良い。例えば図９に示すように、連結片（５）の前部および後部左側に、第１，３包装箱（１）（３）が設けるとともに、中間部右側に、第２包装箱（２）が設けるようにしても良い。要は、包装箱が複数設けられていれば良い。
【００５２】
さらに包装箱を３つ以上設けるような場合、必ずしも、連結片（５）を挟んで包装箱を左右に１つずつ交互に配置する必要はない。例えば１番目の包装箱は左側、２，３番目の包装箱は右側に配置したり、１〜３番目の包装箱は左側、４番目の包装箱は右側に配置するようにしても良い。要は、連結片を挟んで左側に１つ以上、右側に１つ以上の包装箱がそれぞれ配置されていれば良い。
【００５３】
また上記実施形態においては、包装箱（１）（２）の正面形状や断面形状が、方形状（四角形状）になるように形成しているが、本発明において、包装箱（１）（２）の形状は特に限定されるものではない。例えば本発明においては、包装箱の正面形状や断面形状は、三角形状や、五角形状等の多角形状の他、円形、楕円形、長円形、異形形状等に形成されていても良い。
【００５４】
また本発明においては、複数の包装箱の形状を、必ずしも同一に形成する必要もなく、個々の包装箱をそれぞれ別々の形状に形成するようにしても良い。さらに本発明においては、各包装箱の大きさを、必ずしも同一に形成する必要はなく、それぞれ異なる大きさに形成するようにしても良い。
【００５５】
また上記実施形態においては、連結箱型小物収容具を１枚のブランク板によって構成するようにしているが、それだけに限られず、本発明においては、小物収容具を、独立した複数の部材を、糊等で貼り合わせて形成するようにしても良い。
【００５６】
また上記実施形態において、第１，２包装箱（１）（２）の接合面（１６ａ）（２５ａ）を傾斜面として、両接合面（１６ａ）（２５ａ）を、両包装箱（１）（２）を閉塞縦並び形態でロックするための係合手段として構成しているが、本発明の係合手段は、上記のものだけに限られず、閉塞縦並び状態で係脱自在にロック（係合）できるものであれば、どのような形式の係合手段を用いるようにしても良い。
【００５７】
さらに本発明においては、係合手段を採用せずに、テープや、リボン、装飾バンド等で閉塞縦並び形態に維持するようにしても良い。
【産業上の利用可能性】
【００５８】
本考案の連結箱型小物収容具は、複数の小物等を贈答する際等に好適に用いられる。
【符号の説明】
【００５９】
１：第１包装箱
１０：表表紙部
１６ａ：後面
２：第２包装箱
２０：裏表紙部
２５ａ：前面
４１：表カバー片
４２：裏カバー片
５：連結片
【図１】
0003150258.tif 000003
【図２】
0003150258.tif 000004
【図３】
0003150258.tif 000005
【図４】
0003150258.tif 000006
【図５】
0003150258.tif 000007
【図６】
0003150258.tif 000008
【図７】
0003150258.tif 000009
【図８】
0003150258.tif 000010
【図９】
0003150258.tif 000011